(57)【要約】【課題】バスタオル等比較的大きいものでも安定して干すことができる物干し具を得る。【解決手段】使用時において略水平に延びる上杆４、該上杆４に対し全部又は一部が離間してその下側に設けられる下杆５、並びに、前記上杆４及び下杆５に交互に接するように設けられる波状連結杆６からなり、前記上杆４、下杆５及び波状連結杆６の接触部を溶着して一体化してなる掛具２の単又は複数と、該掛具２を支持する支持手段３とを備えることにより構成した。【選択図】図１
2008220542.tif 000002
【特許請求の範囲】
【請求項１】
使用状態において支持手段により基端側が支持されて前方に延びる片持ち状の単又は複数の掛具を有する物干し具であって、
前記掛具が、使用状態において略水平となる上杆、該上杆に対し全部又は一部が離間してその下側に設けられる下杆、並びに、前記上杆及び下杆に交互に接するように設けられる波状連結杆からなり、前記上杆、下杆及び波状連結杆の接触部を溶着して一体化してなることを特徴とする物干し具。
【請求項２】
前記支持手段が、２本の脚杆の中間同士を左右方向軸まわりに相対的に回動可能に連結した、使用状態において側面視略Ｘ字状の左右の脚体であり、
前記左右方向軸の上側で使用状態において前側に位置する左右の脚杆の上端と前記左右方向軸との中間同士を左右方向に延びる支持杆により連結し、
前記左右方向軸の上側で使用状態において後側に位置する左右の脚杆の上端部左右方向内側に形成した軸受孔に、前記複数の掛具の基端部が連結固定された左右方向に延びる水平杆の左右端を挿入してなり、
使用状態において、前記下杆又は波状連結杆によって前記掛具の基端側に形成される前方斜め下向きの傾斜部を前記支持杆により下側から支持してなる請求項１記載の物干し具。
【発明の詳細な説明】
【技術分野】
【０００１】
本発明は、床上においてバスタオルなど、比較的大きい洗濯物等を干す場合に好適な物干し具に関するものである。
【背景技術】
【０００２】
従来、物干し具は一般的に市販されており、単又は複数の掛具の両端を支持し、上側から洗濯物等を掛具に掛けるようにして干すものが数多くあった。しかし、一本の掛具を備えた物干し具であれば、掛具に上側から掛け、支障なく物を干すことができるが、複数の掛具を備えた物干し具の場合、隣の掛具が邪魔で洗濯物等を掛具に迅速に掛けることが難しいものとなっていた。
【０００３】
そこで、単又は複数の掛具の基端部を連結棒によって結合している片持ち状の物干し具が販売されている。その中には、不使用時にコンパクトに折り畳むことができたり、使用時に洗濯物が風に飛ばされてしまうことがないように工夫されていたりするもの（特許文献１）等がある。
【特許文献１】特開平９−１９２３９３号公報
【発明の開示】
【発明が解決しようとする課題】
【０００４】
しかし、上述の従来の物干し具では、掛具の両端を支持するものよりも強度が落ち、しかも、洗濯物を掛ける掛具は一本の細い棒状のものであるため、ハンカチや靴下等比較的小さいものを干すときには問題ないが、例えばバスタオル等比較的大きいものを干すときには、その洗濯物の重さにより掛具が曲がってしまったりすることがあった。
また、掛具が簡単に曲がらないように、掛具に剛性の高い材料を使用したり、掛具の棒の断面積を大きくしたりすると掛具が重くなり、これを支える支持手段にも高い剛性と安定させるためにある程度の重さが必要となるため、物干し具が重くなってしまい、使い勝手が悪くなってしまうこともあった。
【課題を解決するための手段】
【０００５】
本発明に係る物干し具は、前述の課題解決のために、使用状態において支持手段により基端側が支持されて前方に延びる片持ち状の単又は複数の掛具を有する物干し具であって、前記掛具が、使用状態において略水平となる上杆、該上杆に対し全部又は一部が離間してその下側に設けられる下杆、並びに、前記上杆及び下杆に交互に接するように設けられる波状連結杆からなり、前記上杆、下杆及び波状連結杆の接触部を溶着して一体化してなるものである。
【０００６】
ここで、前記支持手段が、２本の脚杆の中間同士を左右方向軸まわりに相対的に回動可能に連結した、使用状態において側面視略Ｘ字状の左右の脚体であり、前記左右方向軸の上側で使用状態において前側に位置する左右の脚杆の上端と前記左右方向軸との中間同士を左右方向に延びる支持杆により連結し、前記左右方向軸の上側で使用状態において後側に位置する左右の脚杆の上端部左右方向内側に形成した軸受孔に、前記複数の掛具の基端部が連結固定された左右方向に延びる水平杆の左右端を挿入してなり、使用状態において、前記下杆又は波状連結杆によって前記掛具の基端側に形成される前方斜め下向きの傾斜部を前記支持杆により下側から支持してなるようにすると好ましい。
【発明の効果】
【０００７】
以上にしてなる本願発明に係る物干し具は、使用状態において支持手段により基端側が支持されて前方に延びる片持ち状の単又は複数の掛具を有する物干し具であって、前記掛具が、使用状態において略水平となる上杆、該上杆に対し全部又は一部が離間してその下側に設けられる下杆、並びに、前記上杆及び下杆に交互に接するように設けられる波状連結杆からなり、前記上杆、下杆及び波状連結杆の接触部を溶着して一体化してなるようにしたため、掛具に斜め部材となる波状連結杆を備えることにより、せん断変形を小さくし、剛性を上げている。それにより、物干し具としての掛具の強度を高くすることができ、例えば、バスタオル等の比較的重い洗濯物を干す場合にも掛具が曲がってしまうことなく、安定して使用することができる。
【０００８】
ここで、前記支持手段が、２本の脚杆の中間同士を左右方向軸まわりに相対的に回動可能に連結した、使用状態において側面視略Ｘ字状の左右の脚体であり、前記左右方向軸の上側で使用状態において前側に位置する左右の脚杆の上端と前記左右方向軸との中間同士を左右方向に延びる支持杆により連結し、前記左右方向軸の上側で使用状態において後側に位置する左右の脚杆の上端部左右方向内側に形成した軸受孔に、前記複数の掛具の基端部が連結固定された左右方向に延びる水平杆の左右端を挿入してなるようにしたため、掛具の一端のみを支持する構造となり、洗濯物等を干したり、取り入れたりする際に横から挿し込む、又は、抜き出すことができ、物干しにかかる作業を容易に行うことができる。
また、物干し具を展開した状態において、掛具を少し持ち上げることにより、支持杆による掛具への係止を解除し、脚体を回動させて側面視略I字状とし、掛具を水平杆軸として上側へ回転させて、掛具の遊端部が下に向くようにし、物干し具を側面視略I字状とすることでコンパクトに折り畳むことができる。
さらに、使用状態において、前記下杆又は波状連結杆によって前記掛具の基端側に形成される前方斜め下向きの傾斜部を前記支持杆により下側から支持してなるものとしたため、掛具に凹部を設ける等の特別の加工をしなくてもよく、簡易、且つ、安価に掛具を製作することができる。
また、物干し具全体として細長い形状である各部材に曲げの力が強くかからないように構成されているため、掛具又は支持手段等に細く軽い材料を使用しても比較的重いものも干すことができ、物干し具全体を軽くすることができる。それにより、持ち運びに好適な折り畳み式の物干し具を得ることができる。
【発明を実施するための最良の形態】
【０００９】
次に、本発明の実施の形態を添付図面に基づいて説明するが、本発明に係る物干し具は、添付図面に示された形態に限定されず特許請求の範囲に記載の要件を満たす実施形態の全てを含むものである。本発明に係る物干し具は、使用状態において支持手段により基端側が支持されて前方に延びる片持ち状の単又は複数の掛具を有する物干し具であって、前記掛具が、使用状態において略水平となる上杆、該上杆に対し全部又は一部が離間してその下側に設けられる下杆、並びに、前記上杆及び下杆に交互に接するように設けられる波状連結杆からなり、前記上杆、下杆及び波状連結杆の接触部を溶着して一体化してなることを特徴とするものである。
また、図１に示すように本発明に係る物干し具を展開した使用状態において、掛具の基端部から遊端部への方向を前方とする。また、本発明に係る物干し具の正面図は前方から見たものとする。
【００１０】
図１〜図３は本発明に係る物干し具の構成を示す説明図であり、図１は本発明に係る物干し具の展開した状態を示す斜視図、図２は本発明に係る物干し具の展開した状態を示す左側面図、図３は本発明に係る物干し具の展開した状態の掛具の支持構造を示す拡大縦断左側面図、図４は本発明に係る物干し具の折り畳み方を示した説明図であり、(a)は展開した状態を示す左側面図、(b)は支持手段のみ折り畳んだ状態を示す左側面図、(c)は物干し具全体を折り畳んだ状態を示す左側面図である。
【００１１】
図１、図２に示すように、本発明の実施の形態に係る物干し具１は、複数の掛具２を水平杆７に溶着させ、この水平杆７を支持手段３に設けた軸受孔８により回動自在に支持することにより構成される。ここで、複数の掛具２は水平杆７が軸受孔８により回動自在に支持されているため、掛具を回動させることにより、容易に使用状態にしたり、収納状態にしたりすることができる。
【００１２】
また、掛具２は、水平に延びる上杆４の遊端部４aを干し物落下防止のために折り曲げ、基端側の下側に上杆４よりも短い下杆５の一端を溶接し、上杆４と下杆５の離間部に上杆４と下杆５に交互に接するように形成された波状連結杆６を溶接することにより構成される。ここで、掛具２は上杆４と下杆５の離間部に上杆４と下杆５に交互に接するように形成された波状連結杆６を溶接する構成となっているため、掛具に斜め部材となる波状連結杆を備えることにより、せん断変形を小さくし、剛性を上げている。それにより、物干し具としての掛具の強度を高くすることができ、例えば、バスタオル等の比較的重い洗濯物を干す場合にも掛具が曲がってしまうことなく、安定して使用することができる。
【００１３】
さらに、図１、図２に示すように、支持手段３は、細長い円筒を略U字状に形成した第一支脚部材３Ａと、細長い円筒を第一支脚部材３Ａの内側にはまり込むように第一支脚部材３Ａと同形状で大きさが異なるように形成された第二支脚部材３Ｂを上下方向の中間部よりも上側の脚杆３aで側面視略X字状に交差させ、支脚部材連結杆１１で回動自在に保持し、第一支脚部材３Ａの支脚部材連結杆１１よりも上側の脚杆３aに掛具２の水平杆７を勘合させる軸受孔８を設け、第二支脚部材３Ｂの支脚部材連結杆１１よりも上側の脚杆３aに掛具２の上杆４を展開時に水平に支持する支持杆９を設けることにより構成される。このように構成されることにより、支持手段３は展開時には側面視略X字状となり、上部に設置される複数の掛具２を支持することができ、折り畳み時には側面視略I状にすることによって、コンパクトにすることができる。また、第一支脚部材３Ａと第二支脚部材３Ｂの支脚部材連結杆１１は支持手段３の上下方向中間部よりも上側の脚杆３aに設けられているため、第一支脚部材３Ａの接地部と第二支脚部材３Ｂの接地部とが十分な間隔をあけることになり、上部に設けられた掛具２と掛具２に干されたものを安定して支持することができる。
【００１４】
また、図３に示すように、下杆５によって形成される前方斜め下向きの傾斜部５aに前記水平杆７と平行な被支持杆１０を設け、該被支持杆１０と平行に前記他方の脚杆３aに支持杆９を設けることにより、展開時に該被支持杆１０と下杆５の間に支持杆９が挟まり、掛具を安定して支持することができる。また、掛具２を水平杆７を軸として上側に回転させることにより、第二支脚部材３Ｂの支持杆９への掛具２の被支持杆１０による係止を解除し、支持手段３が支脚部材連結杆１１を軸に回動自在となることにより、容易に折り畳むことができる。また、このように構成されることによって、掛具２自体に凹部を設ける等の加工をしなくてもよいため、強度を高く保つことができる。ここで、被支持杆１０を設ける傾斜部５aは下杆５によって形成されるとしているが、傾斜部５aは波状連結杆６によって形成されるものであってもよい。また、被支持杆１０を支持杆９が挟まれるように並べて２本を傾斜部５aに設けるようにすれば、展開した状態でさらに安定させることができる。
【００１５】
さらに、本発明に係る物干し具１を折り畳むには、図４に示すように、まず、展開した状態(a)から支持手段３のみを折り畳み(b)、次に、掛具２も回転させることにより折り畳む(c)ようにするとよい。つまり、物干し具１を展開した状態(a)において、掛具２を少し持ち上げることにより、第二支脚部材３Ｂの支持杆９への掛具２の被支持杆１０による係止を解除し、第二支脚部材３Ｂを支脚部材連結杆１１を軸として回転させ、第一支脚部材３Ａの内側に納めて支持手段３を側面視略I字状とする(b)。次に、掛具２を水平杆７を軸として上側へ回転させて、掛具２の遊端部４aが下に向くようにし、第二支脚部材３Ｂの内側に納めて物干し具を側面視略I字状とする(c)ことで折り畳むことができる。
【００１６】
以上のような構成により、本発明に係る物干し具は不使用時には物干し具全体を折り畳み、コンパクトに収納することができる。
また、物干し具の掛具の強度を高くすることができ、例えばバスタオル等の比較的重い洗濯物を干す場合にも掛具が曲がってしまうことなく、安定して使用することができる。
さらに、掛具の一端のみを支持する構造のため、洗濯物等を干したり、取り入れたりする際に横から挿し込む、又は、抜き出すことができ、物干しにかかる作業を容易に行うことができる。
また、物干し具全体としても細長い形状である各部材に曲げの力が強くかからないように構成されているため、掛具又は支持手段等に細く軽い材料を使用しても比較的重いものも干すことができ、物干し具全体を軽くすることができる。それにより、持ち運びに好適な折り畳み式の物干し具を得ることができる。
【００１７】
以上の説明においては、支持手段と、上杆と下杆と波状連結杆によりなる複数の掛具と、水平杆とによりなる折り畳み式の物干し具の構成について説明したが、支持手段は複数の杆を組み合わせることによりなるものでもよいし、物干し竿や壁に固定できるようにしたものでもよい。また、上杆の遊端部は単に折り曲げたものでなくても、先端を上側に折り曲げ波状に加工し、洗濯物等をはさむことができるようなものにしてもよいし、洗濯ばさみ等を備え付けてもよい。このようにすることによって、物干し具に掛けた洗濯物等が風によって飛ばされること防ぐことができる。上杆の形状も、例えば、ある程度幅をもたせることにより、洗濯物等が早く乾くようにしたものでもよい。また、下杆は上記のような水平杆側の一端を上杆に溶着させたものでなくても、両端部を溶着させたもの、または全部離間するようにしたものでもよいし、また、上杆に平行に位置させなくてもよい。また、波状連結杆は図１〜図４に示すように、折り曲げて上杆と下杆に接するようにしたものでなくても、曲線を連ねて接するようにしてもよいし、模様や文字等をかたどったもので上杆と下杆に接するようにしてもよい。
【図面の簡単な説明】
【００１８】
【図１】本発明に係る物干し具の斜視図である。
【図２】本発明に係る物干し具の左側面図である。
【図３】本発明に係る物干し具の展開した状態の掛具の支持構造を示す拡大縦断左側面図である。
【図４】本発明に係る物干し具の折り畳み方を示した説明図であり、(a)は展開した状態を示す左側面図、（b）は支持手段のみ折り畳んだ状態を示す左側面図、（c）は物干し具を折り畳んだ状態を示す左側面図である。
【符号の説明】
【００１９】
１   物干し具
２   掛具
２a  基端部
３   支持手段
３Ａ 第一支脚部材
３Ｂ 第二支脚部材
３a  脚杆
４   上杆
４a  遊端部
５   下杆
５a  傾斜部
６   波状連結杆
７   水平杆
８   軸受孔
９   支持杆
１０ 被支持杆
１１ 支脚部材連結杆
【図１】
2008220542.tif 000003
【図２】
2008220542.tif 000004
【図３】
2008220542.tif 000005
【図４】
2008220542.tif 000006